(57)【要約】【課題】入手し易い機器を用いて、低コストかつ簡易的な機器構成で冷却効果を向上させた蒸気タービン強制冷却装置およびそれを備えた蒸気タービン装置ならびに蒸気タービン強制冷却方法を提供する。【解決手段】蒸気以外の圧縮媒体を駆動源とする冷却空気吸引用のエゼクタ２７，２８によって、高圧タービン４或いは中圧タービン９の蒸気導入側から吸引を行い、冷却空気を蒸気タービンの蒸気排出部からタービン内部へ導入し、エゼクタ２７，２８から大気放出する。【選択図】  図１
2015090107.tif 000002
【特許請求の範囲】
【請求項１】
蒸気タービンの停止後にこの蒸気タービンを強制的に冷却するための蒸気タービン強制冷却装置であって、
前記蒸気タービンへ蒸気を供給するための蒸気入口側配管から分岐された分岐配管と、
この分岐配管に設けられた非蒸気駆動式エゼクタと、
前記非蒸気駆動式エゼクタよりも前記蒸気入口側配管に近い位置の前記分岐配管に設けられた止め弁とを備えた
ことを特徴とする蒸気タービン強制冷却装置。
【請求項２】
請求項１に記載の蒸気タービン強制冷却装置において、
前記非蒸気駆動式エゼクタによって大気解放した前記蒸気タービンの低圧部側から高圧部側である蒸気入口側に向けて冷却空気を吸引して前記蒸気タービンを冷却する際に、前記蒸気タービンの排気部側に設置される大気開放板を破損しない範囲で、蒸気タービン排気部から空気を送風するための開口部およびこの開口部に接続された送風機を更に備えた
ことを特徴とする蒸気タービン強制冷却装置。
【請求項３】
請求項１に記載の蒸気タービン強制冷却装置において、
前記蒸気タービン内部に接続された配管に、分岐配管およびこの分岐配管に前記非蒸気駆動式エゼクタを更に設けた
ことを特徴とする蒸気タービン強制冷却装置。
【請求項４】
請求項１に記載の蒸気タービン強制冷却装置において、
前記非蒸気駆動式エゼクタを複数台設けた
ことを特徴とする蒸気タービン強制冷却装置。
【請求項５】
蒸気タービン装置であって、
通常運転中、蒸気入口部から蒸気排出部へ流れる蒸気によって仕事を行うための蒸気タービンと、
請求項１乃至請求項４のいずれか１項に記載の蒸気タービン強制冷却装置とを備えた
ことを特徴とする蒸気タービン装置。
【請求項６】
高温高圧蒸気がタービン高圧部からタービン低圧部を経て復水器へ流れる蒸気タービンを強制的に冷却するための方法であって、
前記蒸気タービンを停止させた後、
前記蒸気タービンの低圧部側を大気解放し、
前記蒸気タービンの高圧部側である蒸気入口側配管に設置された非蒸気駆動式エゼクタによって、前記蒸気タービンの高圧部側から前記蒸気タービン内の気体を吸引することで、大気解放した前記低圧部側から前記蒸気入口側に向けて冷却用空気を前記蒸気タービン内に導入する
ことを特徴とする蒸気タービンの強制冷却方法。
【請求項７】
請求項１に記載の蒸気タービン強制冷却装置において、
前記分岐配管に接続される非蒸気式エゼクタは、既設の真空ポンプ或いは蒸気駆動式エゼクタとは別置である
ことを特徴とする蒸気タービン装置。
【発明の詳細な説明】
【技術分野】
【０００１】
本発明は、蒸気タービンの停止後に蒸気タービンを強制的に冷却するための蒸気タービン強制冷却装置およびそれを備えた蒸気タービン装置ならびに蒸気タービン強制冷却方法に関する。
【背景技術】
【０００２】
蒸気タービン装置には、通常タービン入口部で５００℃以上の高温蒸気を導入する。そのため、定期点検や蒸気タービン故障時に分解作業が必要な場合、ターニング停止可能温度になるまでに自然放熱で冷却するのでは時間がかなり必要となる。その間は電力供給が出来なくなるため、電力の安定供給や経済性を考慮すると可能な限り冷却時間を短縮することが望まれる。
【０００３】
蒸気タービンの冷却方法として、特許文献１の技術では、復水器に接続された真空ポンプの駆動により、排気路に吸引力が作用し、真空破壊弁から、外気が復水器内に吸引される。この外気は、復水器内から低圧タービンを通って中圧タービンの蒸気排気部から中圧タービン内に入る。この外気は、中圧タービンの低温側から冷却し、昇温した外気は中圧タービン高温側に流れて高温側を冷却し、中圧タービンの蒸気導入部から排気路に排出される。一方、復水器内に吸引された外気は、ベンチレータ弁、低混再熱管を通って高圧タービンの蒸気排気部から高圧タービン内に入り高圧タービンを冷却して蒸気導入部から排気路に排出される。また特許文献１の技術では、真空ポンプに替わってエゼクタを復水器に接続することが記載されている。
【先行技術文献】
【特許文献】
【０００４】
【特許文献１】特公平３−４７２３号公報
【発明の概要】
【発明が解決しようとする課題】
【０００５】
現在、定期点検時や蒸気タービンの故障時に加え、試運転から発電所運用開始までの期間においても、出来る限り早急に作業を行うために、停止後の蒸気タービンの冷却時間の短縮が求められる。そこで、外気を利用して蒸気タービンを熱応力や熱歪が生じないように冷却を図ることになるが、上述の技術は以下の問題を有する。
【０００６】
特許文献１に記載の技術では、復水器を真空にする既設の真空ポンプを利用している。したがって、冷却空気は既設の真空ポンプによって吸引されるため、蒸気タービンに導入される冷却空気量は、真空ポンプの容量および吸引能力によって限定される。そのため、冷却空気量増加による冷却能力の向上が難しいという問題があった。
【０００７】
また、蒸気タービン冷却後の空気は高温となるため通常運転での真空ポンプの使用温度を超過してしまう。このために、真空ポンプへ空気を導入する前に空気冷却器による冷却を行う必要があった。そのため、空気冷却器自体の納期や、冷却水を供給する軸冷水配管との接続のための工程数増加により、設置までに時間を要しまうという問題がある。さらに、空気冷却器および空気冷却器据付のコストや据付スペースが必要となってしまう。
【０００８】
また、上述した特許文献１の技術において、復水器にエゼクタを接続する場合、起動用エゼクタ、通常運転用エゼクタ、熱交換器から構成されるエゼクタ（以下、復水器常設エゼクタと記載）を用いる。
【０００９】
この復水器常設エゼクタに設けられた起動用エゼクタおよび通常運転用エゼクタのエゼクタ種類は蒸気エゼクタであり、駆動流体として補助蒸気を利用している。
【００１０】
この復水器常設エゼクタでは、プラント起動時は復水器内の大量の空気を排出するために、容量の大きい起動用エゼクタを用いて復水器の真空引きを行う。この際、ボイラは運転していないため、補助蒸気源は補助ボイラ又は他ユニットを用いる必要がある。また、ボイラ運転していないことから、復水への熱回収を行っても意味は無いため、起動用エゼクタからの排気は大気開放される。
また、プラント通常運転時は、起動時と比較して空気の排出量が多くないため、通常運転用エゼクタを用いて復水器の真空度を維持する運転となる。この通常運転用エゼクタの補助蒸気源は、サイクル内から抽気する。通常運転用エゼクタからの排気はエゼクタに付設された熱交換器を用いて復水へ熱回収される。
【００１１】
ここで、復水器常設エゼクタが蒸気式である理由は、蒸気サイクル内に既存の高圧蒸気を利用した方が圧縮機で圧縮空気を生成するより効率的であること、蒸気の熱エネルギーは復水へ熱回収可能であること、圧縮空気でのエゼクタの駆動を考慮すると圧縮機の容量が大きくなってしまうこと、等の理由が挙げられる。
【００１２】
しかしながら、この復水器常設エゼクタを強制冷却に利用する場合、以下に示すような問題点がある。
【００１３】
例えば、起動用エゼクタを強制冷却に用いることにすると、エゼクタを駆動して排気される高温蒸気（≒補助蒸気）は大気開放となるため、熱エネルギーを大量に捨ててしまうことになる。
また、通常運転用エゼクタを用いることにすると、エゼクタ排気の高温蒸気（≒補助蒸気）は熱交換器へと導入されるので、熱交換器保護のために冷却側の復水を流す必要がある。つまり、停止している復水ポンプを強制冷却のためだけに起動しなければならない。その上、復水ポンプを起動し高温蒸気と復水を熱交換してもボイラは停止中なので熱エネルギーの有効利用とはならないことから、捨てているのと同じ結果を招くことになる。
【００１４】
このように、復水器常設エゼクタを強制冷却に利用するためには、駆動流体として補助蒸気を別途準備した上で用いる必要がある。そのため、エゼクタの排気は高温蒸気で大量の熱エネルギーを持っているにもかかわらず、大気へ捨てなければならない。また、たとえ復水へ熱回収しても、ボイラが停止しているため捨てているのと同じである。
【００１５】
従って、強制冷却はプラント停止期間を短縮して経済効果を得るものだが、復水器常設エゼクタを用いると、燃料を無駄に利用する、すなわち熱エネルギーを捨てることになるため、経済効果がなくなり、電力の安定供給に寄与しきれないとの問題があった。
【００１６】
本発明の目的は、入手し易い機器を用いて、低コストかつ簡易的な機器構成で冷却効果を向上させた蒸気タービン強制冷却装置およびそれを備えた蒸気タービン装置ならびに蒸気タービン強制冷却方法を提供することにある。
【課題を解決するための手段】
【００１７】
上記課題を解決するために、例えば特許請求の範囲に記載の構成を採用する。
本発明は、上記課題を解決する手段を複数含んでいるが、その一例を挙げるならば、蒸気タービンの停止後にこの蒸気タービンを強制的に冷却するための蒸気タービン強制冷却装置であって、前記蒸気タービンへ蒸気を供給するための蒸気入口側配管から分岐された分岐配管と、この分岐配管に設けられた非蒸気駆動式エゼクタと、前記非蒸気駆動式エゼクタよりも前記蒸気入口側配管に近い位置の前記分岐配管に設けられた止め弁とを備えたことを特徴とする。前記非蒸気駆動式エゼクタは、既設の真空ポンプ（或いは蒸気駆動式エゼクタ）とは別置の装置である。
【発明の効果】
【００１８】
本発明によれば、蒸気タービンを強制冷却する際に、入手し易い機器を用いて、低コストかつ簡易的な機器構成で冷却効果を向上させることができる。
【図面の簡単な説明】
【００１９】
【図１】本発明の第１の実施例における蒸気タービン強制冷却装置を備えた蒸気タービン装置の系統の概略を示す図である。
【図２】本発明の第１の実施例における蒸気タービンメタル温度と冷却空気量の関係を示すグラフである。
【図３】本発明の第２の実施例における蒸気タービン強制冷却装置を備えた蒸気タービン装置の系統の概略を示す図である。
【図４】本発明の第２の実施例における蒸気タービン装置各部の圧力を示すグラフである。
【図５】本発明の第３の実施例における蒸気タービン強制冷却装置を備えた蒸気タービン装置の系統の概略を示す図である。
【図６】本発明の第４の実施例における蒸気タービン強制冷却装置を備えた蒸気タービン装置の系統の概略を示す図である。
【発明を実施するための形態】
【００２０】
以下に本発明の蒸気タービン強制冷却装置およびそれを備えた蒸気タービン装置ならびに蒸気タービン強制冷却方法の実施例を、図面を用いて説明する。
【００２１】
＜第１の実施例＞  
本発明の蒸気タービン強制冷却装置およびそれを備えた蒸気タービン装置ならびに蒸気タービン強制冷却方法の第１の実施例を、図１および図２を用いて説明する。なお、図１および図２においては、高圧タービン，中圧タービン，低圧タービンを備えた蒸気タービン装置に適用した場合を例に挙げて説明する。
図１は本発明の第１の実施例における蒸気タービン強制冷却装置を備えた蒸気タービン装置の系統の概略を示す図、図２は本発明の第１の実施例における蒸気タービンメタル温度と冷却空気量の関係を示すグラフである。
【００２２】
図１に示すように、蒸気タービン装置は、高圧タービン４と中圧タービン９と低圧タービン１１といった、圧力に応じたタービン数種類を備えている。
【００２３】
このような蒸気タービン装置では、ボイラＡから発生した蒸気は主蒸気管１、主蒸気止め弁２、蒸気加減弁３を介して高圧タービン４に導入され仕事をする。また、高圧タービン４の排気は低温再熱管５を通り再熱器Ｂにて再熱され、高温再熱管７、組み合わせ再熱弁８を介して中圧タービン９に導入され仕事をする。さらに、中圧タービンの排気はクロスオーバー管１０を介して低圧タービン１１に導入され低圧タービン１１で仕事をし、復水器１２に回収される。
【００２４】
次に、本実施例の蒸気タービン強制冷却装置を図１を用いて説明する。
【００２５】
図１において、蒸気タービン強制冷却装置は、蒸気加減弁３と高圧タービン４の蒸気導入部との間で主蒸気管１から分岐する分岐配管２１、組み合わせ再熱弁８と中圧タービン９の蒸気導入部との間で高温再熱管７から分岐する分岐配管２２、分岐配管２１，２２に設置される止弁（止め弁，蒸気の流れを止めるための弁）２３，２４、エゼクタ２７，２８およびこのエゼクタ２７，２８から排出された気体を排気する排気配管３１とから構成されている。
【００２６】
このエゼクタ２７，２８は、蒸気以外の圧縮媒体を駆動源とする非蒸気駆動式エゼクタであり、本実施例では、圧縮機Ｄからの圧縮空気によって駆動するエゼクタを用いている。なお、空気駆動式エゼクタの他に、窒素などのガス駆動式エゼクタ、水駆動式エゼクタ等が挙げられる。
【００２７】
また、圧縮空気の供給源は圧縮機Ｄに限るものではなく、所内空気やボンベなどを用いることができる。
【００２８】
このエゼクタ２７，２８は、蒸気タービンのメタル温度と空気温度の差に応じて、吸引力を調整して冷却空気量を増加または減少させるよう調整される。なお、冷却速度に応じた空気量調整は、冷却空気流路に設置された各弁の開度の調整、エゼクタ駆動空気の圧力による調整、冷却途中でのエゼクタの追設による調整のいずれかの方法等で行う。
【００２９】
次いで、上述のような蒸気タービンの強制冷却装置を用いた蒸気タービンの強制冷却方法について説明する。
【００３０】
定期点検時や蒸気タービンの故障時、試運転から発電所運用開始までの期間において蒸気タービンを冷却する際に、まず、主蒸気止弁２、組み合わせ再熱弁８および真空ポンプ入口弁１３を全閉にする。一方、冷却装置として付設された止め弁２３，２４およびベンチレータ弁１３を全開にするとともに、真空破壊弁１５を全開にして復水器１２を大気解放する。
【００３１】
その後、エゼクタ２７，２８に圧縮機Ｄからの圧縮空気を導入することによってエゼクタ２７，２８を駆動し、高圧タービン４或いは中圧タービン９の蒸気導入部から吸引を行い、高圧タービン４または中圧タービン９内の気体の吸引力を発生させる。
【００３２】
すると、この発生した吸引力によって真空破壊弁１５から冷却用の空気が復水器１２内に流れ込む。復水器１２内に流入した空気は、低圧タービン１１の排気部へ流入し、低圧タービン１１を冷却しながら低圧タービン１１を通過し、クロスオーバー管１０を介して、中圧タービン９の排気部へと流入する。そして中圧タービン９内に流入した空気によって中圧タービン９が冷却される。中圧タービン９を冷却した後の空気は分岐配管２２へ流れ、エゼクタ２８および排気配管３１を介して大気へ放出される。
【００３３】
その一方で、復水器１２内に流入した空気は、ベンチレータ弁１３を介して高圧タービン４の排気部へも流入し、高圧タービン４を冷却する。冷却した後の空気は分岐配管２１へ流れ、エゼクタ２７および排気配管３１を介して大気へ放出される。
【００３４】
このように、本発明の蒸気タービン強制冷却装置およびそれを備えた蒸気タービン装置ならびに蒸気タービン強制冷却方法の第１の実施例では、蒸気以外の圧縮媒体を駆動源とする冷却空気吸引用のエゼクタ２７，２８によって、高圧タービン４或いは中圧タービン９の蒸気導入側から吸引を行い、冷却空気を蒸気タービンの蒸気排出部からタービン内部へ導入し、エゼクタ２７，２８から大気放出する。このため、非蒸気駆動式エゼクタによって吸引された空気はまず蒸気タービンの蒸気排出部を冷却し、昇温した空気が高温側の蒸気導入部を冷却する。従って蒸気タービンは均一に冷却され、熱応力や熱歪は発生せず、効率的な蒸気タービンの冷却が可能となる。
【００３５】
また、従来のように、復水器を真空にする既設の真空ポンプを利用して空気の吸引を行い、復水器真空破壊弁から蒸気タービン蒸気導入部へ外気を流し、蒸気タービンを冷却する蒸気タービン強制冷却装置では、冷却空気は既設の真空ポンプによって吸引されるため、蒸気タービンに導入される冷却空気量は、真空ポンプの容量および吸引能力によって限定され、冷却空気量増加による冷却能力の向上が難しいという問題があった。
例えば、図２の（ｂ）に示すように、真空ポンプを用いる場合、蒸気タービンのメタル温度が２５０℃程度まで下がると冷却空気との温度差が小さくなり、冷却速度が遅くなってしまっていた。
【００３６】
しかし、本実施例のように既設の真空ポンプ（或いは蒸気駆動式エゼクタ）とは別置の冷却空気吸引用のエゼクタを利用することによって、冷却空気量が既設の真空ポンプの容量および吸引力に限定されず、冷却空気吸引用のエゼクタの容量・吸引力を向上させることによって、冷却空気量の増加を図ることが出来る。これにより、蒸気タービンが許容できる最大の冷却速度で冷却することが可能となる。
例えば、図２の（ａ）に示すように、常に最大許容冷却速度程度近くで冷却することが可能となる。
【００３７】
さらに、非蒸気駆動式エゼクタを用いることにより、復水器常設エゼクタを用いる場合に生じる、燃料を無駄に利用する、すなわち熱エネルギーを捨てることになって経済効果がなくなる、との問題が生じず、蒸気タービンの強制冷却によって得られるプラント停止期間を短縮して経済効果を得る、との効果を最大限に発揮させることができ、電力の安定供給にも寄与することが可能となる。
【００３８】
また、停止直後の蒸気タービンは５００℃を超える高温であるが、排出される空気は２００〜３００℃程度である。このため、既設の真空ポンプによって冷却空気の吸引を行う場合は蒸気タービン冷却後の高温空気を真空ポンプに導入する前に空気冷却装置が必要であった。しかし、非蒸気駆動式エゼクタはアルミ製の汎用品でも十分に利用可能であり、空気冷却装置が不要となる。
【００３９】
また、復水器の真空ポンプを用いらないため、万が一エゼクタが故障した場合でも、蒸気タービン装置の通常運転への影響は無い、との利点を有している。
【００４０】
これにより、空気冷却装置および冷却水を供給する軸冷水系統との接続が不要となるため、機器納期・コスト、据付工程・コストを低減できる。また、非蒸気駆動式のエゼクタは数ｋｇ程度であるため、蒸気タービンの通常運転の際は容易に取り外し可能であり、据付スペースも不要となる。
【００４１】
＜第２の実施例＞  
本発明の蒸気タービン強制冷却装置およびそれを備えた蒸気タービン装置ならびに蒸気タービン強制冷却方法の第２の実施例を図３および図４を用いて説明する。
図３は本発明の第２の実施例における蒸気タービン強制冷却装置を備えた蒸気タービン装置の系統の概略を示す図、図４は本発明の第２の実施例における蒸気タービン装置各部の圧力を示すグラフである。
【００４２】
図３に示すように、本実施例の蒸気タービン強制冷却装置は、実施例１の蒸気タービン強制冷却装置に、復水器１２に備えられている座、例えばメンテナンス用マンホール座３４，３５から分岐する分岐配管４１，４２、この分岐配管４１，４２に設置される弁３９，４０および送風機３６、図示しない大気放出板設置部付近に設置された圧力検出器３７，３８およびコントローラ６０を更に付設したものである。
【００４３】
送風機３６は圧縮機の圧縮空気や所内空気、或いはこれらを組合せた空気を復水器１２を介して蒸気タービン装置内に送風するものである。
【００４４】
コントローラ６０は、圧力検出器３７，３８で検出される低圧タービン１１の大気放出板設置部付近の圧力を検出して、大気放出板設置部付近の圧力が大気放出板の作動圧力の３０〜４０ｋＰａ．ｇ程度を超えないよう、弁３９，４０の開度を制御する。
【００４５】
これ以外の構成は第１の実施例の蒸気タービン強制冷却装置と略同じであり、詳細は省略する。
【００４６】
本実施形態では、蒸気タービン装置を冷却する際には、エゼクタ２７，２８による冷却空気吸引操作を行うことに加えて、弁３９，４０を開き、送風機３６から蒸気タービン装置内に冷却用空気の送風を行う。
【００４７】
本発明の蒸気タービン強制冷却装置およびそれを備えた蒸気タービン装置ならびに蒸気タービン強制冷却方法の第２の実施例においても、前述した蒸気タービン強制冷却装置およびそれを備えた蒸気タービン装置ならびに蒸気タービン強制冷却方法の第１の実施例とほぼ同様な効果が得られる。
【００４８】
第１の実施例では、図４の（ａ）に示すように、エゼクタ２７，２８の吸引力のみで冷却空気を導入するため、低圧タービン１１の排気口側では大気圧まで圧力が上昇し、中圧タービン９の高圧側（組み合わせ再熱弁８側）までの圧力差、すなわち冷却用空気の送風力が［（大気圧）−（エゼクタ２８による到達圧力）］分となる。
【００４９】
これに対し、本実施例では、エゼクタ２７，２８の吸引力に送風機３６による押込力が加わるため、図４の（ｂ）に示すように、低圧タービン１１の排気口側を大気解放板作動圧力付近まで圧力を上昇させることができ、冷却用空気の方風力が［（大気圧）＋（送風機３６による圧力上昇分）−（エゼクタ２８による到達圧力）］となり、第１の実施例と比較して送風力が向上し、蒸気タービンを通過する冷却空気量を増加させることができ、より早期に蒸気タービン装置を強制冷却することができる。
【００５０】
なお、圧力検出器３７，３８からの信号を用いてコントローラ６０により送風機３６の容量・押込力を選定する倍意を例示したが、送風を復水器１２に備えられている座等の低圧タービン１１の排気部から行う場合、低圧タービン１１の排気室に設置されている大気放出板の破損が懸念される。しかし、クロスオーバー管の直径、復水器１２及び低圧タービン１１の排気室の容量と送風機３６の容量の関係から大気開放板の作動圧力を考慮する必要が無い場合もある。この場合、コントローラ６０は不要である。
【００５１】
また、送風機よる送風を導入する箇所は、復水器１２のメンテナンス用マンホール座３４，３５に限るものでは無く、低圧タービン１１の車室や上述したクロスオーバー管から送風を導入しても良い。
【００５２】
＜第３の実施例＞  
本発明の蒸気タービン強制冷却装置およびそれを備えた蒸気タービン装置ならびに蒸気タービン強制冷却方法の第３の実施例を図５を用いて説明する。
図５は本発明の第３の実施例における蒸気タービン強制冷却装置を備えた蒸気タービン装置の系統の概略を示す図である。
【００５３】
図５に示すように、本実施例の蒸気タービン強制冷却装置は、実施例１の蒸気タービン強制冷却装置に、高圧タービン４に設けられた抽気管４３分岐する分岐配管４５および中圧タービン９に設けられた抽気管４４から分岐する分岐配管４６と、これら分岐配管４５，４６に設置された止め弁３２，３３およびエゼクタ２９，３０が更に付設されたものである。
【００５４】
これ以外の構成は第１の実施例の蒸気タービン強制冷却装置と略同じであり、詳細は省略する。
【００５５】
本実施形態では、蒸気タービン装置を冷却する際には、エゼクタ２７，２８による冷却空気吸引操作を行うことに加えて、止め弁３２，３３を全開とした後にエゼクタ２９，３０に圧縮機Ｄからの圧縮空気を導入することによって吸引力を発生させ、蒸気タービン装置内に冷却用空気を導入させる。
【００５６】
本発明の蒸気タービン強制冷却装置およびそれを備えた蒸気タービン装置ならびに蒸気タービン強制冷却方法の第３の実施例においても、前述した蒸気タービン強制冷却装置およびそれを備えた蒸気タービン装置ならびに蒸気タービン強制冷却方法の第１の実施例とほぼ同様な効果が得られる。
【００５７】
加えて、抽気管４３，４４に分岐配管４５，４６およびエゼクタ２９，３０を付設していることで吸引部を増やすことができ、冷却用空気の吸引力が向上して、蒸気タービンを通過する冷却空気量が増加させることができる。
【００５８】
更に、本実施例では、各タービン或いはタービン内部の冷却速度を考慮し、分岐配管を設置する抽気管および接続するエゼクタ容量を選定することにより、実施例１と比較して、冷却速度を向上させ、且つ、冷却空気の流路が増加することにより、蒸気タービン全体を均一に冷却することが可能である。
【００５９】
＜第４の実施例＞  
本発明の蒸気タービン強制冷却装置およびそれを備えた蒸気タービン装置ならびに蒸気タービン強制冷却方法の第４の実施例を図６を用いて説明する。
図６は本発明の第４の実施例における蒸気タービン強制冷却装置を備えた蒸気タービン装置の系統の概略を示す図である。
【００６０】
図６に示すように、本実施例の蒸気タービン強制冷却装置は、実施例１の蒸気タービン強制冷却装置に、分岐配管２１，２２のエゼクタ２７，２８の下流側に設置されるエゼクタ４７，４８、分岐配管２２から更に分岐する配管４９、分岐配管４９に設置されるエゼクタ５０，５１を更に付設したものである。
【００６１】
これ以外の構成は第１の実施例の蒸気タービン強制冷却装置と略同じであり、詳細は省略する。
【００６２】
本実施形態では、蒸気タービン装置を冷却する際には、エゼクタ２７，２８による冷却空気吸引操作を行うことに加えて、エゼクタ４７，４８およびエゼクタ５０，５１にも圧縮機Ｄからの圧縮空気を導入することによって吸引力を発生させ、蒸気タービン装置内に冷却用空気を導入させる。
【００６３】
本発明の蒸気タービン強制冷却装置およびそれを備えた蒸気タービン装置ならびに蒸気タービン強制冷却方法の第４の実施例においても、前述した蒸気タービン強制冷却装置およびそれを備えた蒸気タービン装置ならびに蒸気タービン強制冷却方法の第１の実施例とほぼ同様な効果が得られる。
【００６４】
加えて、エゼクタの総数を増やしたためにエゼクタによる吸引力が増加し、冷却用空気の導入量も増加する。よって、冷却能力のさらなる向上を図ることができる。
【００６５】
なお、エゼクタの増設位置、増設数、配置方法については図６に示したものに限るものではなく、各タービン或いはタービン内部各部の冷却速度を考慮して増設位置、増設数、配置方法を決定することで、出来るだけ冷却速度を向上させ、且つ、蒸気タービン全体を均一に冷却することが可能となる。
例えば、エゼクタの容量増加にはエゼクタを並列配置し、吸引力向上にはエゼクタを直列配置する。
【００６６】
また、第３の実施例で説明したように、抽気管４３，４４からの分岐配管４５，４６等にもエゼクタを複数台設置することができることは言うまでもない。
【００６７】
＜その他＞  
なお、本発明は上記の実施例に限られず、種々の変形、応用が可能なものである。上述の実施例は本発明を分かりやすく説明するために詳細に説明したものであり、必ずしも説明した全ての構成を備えるものに限定されるものではなく、上述の実施例１〜４の各構成を適宜組み合わせることが可能である。
【００６８】
例えば、上述した実施例１〜４では、１段再熱蒸気タービン装置の強制冷却装置について述べるが、それに限定するものでは無く、再熱が無い蒸気タービンや２段再熱蒸気タービンにおいても本発明の蒸気タービン強制冷却装置および強制冷却方法は適用することができる。
【００６９】
また、ベンチレータ弁１３が無い蒸気タービン装置に本発明の蒸気タービン強制冷却装置およびそれを備えた蒸気タービン装置ならびに蒸気タービン強制冷却方法を適用する場合は、低温再熱管５から分岐配管を設けるとともにこの分岐配管に止め弁を設け、大気開放することにより空気の導入を図ることが望ましい。
【００７０】
更に、上述の実施例１〜４においては、汽力プラントの蒸気タービンの例を用いて説明したが、Ｃ／Ｃプラント（コンバインドサイクルプラント）の蒸気タービンにも本発明は適用することができる。
【符号の説明】
【００７１】
Ａ…ボイラ、
Ｂ…再熱器、
Ｃ…冷却水系統、
Ｄ…圧縮機、
Ｅ，Ｆ…給水加熱器
１…主蒸気管、
２…主蒸気止め弁、
３…蒸気加減弁、
４…高圧タービン、
５…低温再熱管、
６…低温再熱管逆止弁、
７…高温再熱蒸気管、
８…組み合せ再熱弁、
９…中圧タービン、
１０…クロスオーバー管、
１１…低圧タービン、
１２…復水器、
１４…真空ポンプ、
１５…真空破壊弁、
２６…空気冷却器、
２７，２８，２９，３０，４７，４８，５０，５１…エゼクタ、
３４，３５…マンホール座、
３６…送風機、
３７，３８…圧力検出器、
４３，４４…抽気管、
１３，２３，２４，３２，３３，３９，４０…弁、
２１，２２，３１，４１，４２，４５，４６，４９…分岐配管、
６０…コントローラ。
【図１】
2015090107.tif 000003
【図２】
2015090107.tif 000004
【図３】
2015090107.tif 000005
【図４】
2015090107.tif 000006
【図５】
2015090107.tif 000007
【図６】
2015090107.tif 000008